(57)【特許請求の範囲】
【請求項１】
ネットワーク側機能エンティティに応用されるＩＰアドレス設定方法において、
ソースＩＰアドレスがデフォルトＩＰアドレスまたはランダムＩＰアドレスである第１データを、ＵＥ（Ｕｓｅｒ  Ｅｑｕｉｐｍｅｎｔ）から取得するステップと、
ＳＭ（Ｓｅｓｓｉｏｎ  Ｍａｎａｇｅｍｅｎｔ）機能エンティティから前記ＵＥに割り当てられたＩＰアドレスを前記第１データのソースＩＰアドレスとして、前記デフォルトＩＰアドレスまたはランダムＩＰアドレスを置換するステップとを含む、ＩＰアドレス設定方法。
【請求項２】
前記ネットワーク側機能エンティティがＭＭ（Ｍｏｂｉｌｉｔｙ  Ｍａｎａｇｅｍｅｎｔ）機能エンティティであり、
前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、
前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信するステップと、
前記ＳＭ機能エンティティから前記ＵＥに割り当てられたＩＰアドレスが付帯された第１応答メッセージを、前記ＳＭ機能エンティティから受信するステップと、
受信した前記ＵＥに割り当てられたＩＰアドレスを前記第１データのソースＩＰアドレスとして、前記デフォルトＩＰアドレスまたはランダムＩＰアドレスを置換するステップとを含む、請求項１に記載の方法。
【請求項３】
前記ネットワーク側機能エンティティがＭＭ機能エンティティであり、
前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、
前記ＵＥに対応するＯＮ状態のタイマーがタイムアウトになったかを判断するステップと、
前記タイマーがタイムアウトになったと判断すると、前記ＳＭ機能エンティティから前記ＵＥへＩＰアドレスの割り当てを要求する第２要求メッセージを前記ＳＭ機能エンティティに送信するステップと、
前記ＳＭ機能エンティティから前記ＵＥに割り当てられたＩＰアドレスが付帯された第２応答メッセージを、前記ＳＭ機能エンティティから受信するステップと、
受信した前記ＵＥに割り当てられたＩＰアドレスを前記第１データのソースＩＰアドレスとして、前記デフォルトＩＰアドレスまたはランダムＩＰアドレスを置換するステップとを含む、請求項１に記載の方法。
【請求項４】
前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、さらに、
前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換するステップを含む、請求項３に記載の方法。
【請求項５】
前記タイマーがタイムアウトになったと判断すると、前記ＳＭ機能エンティティから前記ＵＥへＩＰアドレスの割り当てを要求する第２要求メッセージを前記ＳＭ機能エンティティに送信するステップは、
前記タイマーがタイムアウトになったと判断すると、前記ＵＥの情報に基づいて、前記ＵＥに対し前記ＳＭ機能エンティティを選択するステップと、
前記ＳＭ機能エンティティから前記ＵＥへＩＰアドレスの割り当てを要求する前記第２要求メッセージを前記ＳＭ機能エンティティに送信するステップとを含む、請求項３に記載の方法。
【請求項６】
前記ＵＥの情報は、
ＵＥ契約情報、ＵＥ位置情報、ＵＥタイプ情報のうちの１つまたは複数を含む、請求項５に記載の方法。
【請求項７】
前記ＳＭ機能エンティティから前記ＵＥに割り当てられたＩＰアドレスで前記第１データのソースＩＰアドレスを置換して得られた第２データを、前記ＳＭ機能エンティティに送信するステップをさらに含む、請求項２〜６のいずれか一項に記載の方法。
【請求項８】
前記ネットワーク側機能エンティティがＳＭ機能エンティティであり、
前記の第１データをＵＥから取得するステップは、
前記ＵＥから前記ＭＭ機能エンティティに送信された第１データが付帯された第３要求メッセージを、ＭＭ機能エンティティから受信するステップを含み、
前記の第１データをＵＥから取得するステップの後で、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップの前に、さらに、
前記第３要求メッセージに基づいて、前記ＵＥにＩＰアドレスを割り当てるステップを含み、
又は、
前記ネットワーク側機能エンティティがＳＭ機能エンティティであり、
前記の第１データをＵＥから取得するステップの前に、さらに、
前記ＵＥに対するＩＰアドレスの割り当てを前記ＳＭ機能エンティティに要求するための第４要求メッセージを、ＭＭ機能エンティティから受信するステップと、
前記第４要求メッセージに基づいて、前記ＵＥにＩＰアドレスを割り当てるステップと、
第４応答メッセージを前記ＭＭ機能エンティティに送信するステップとを含み、
前記の第１データをＵＥから取得するステップは、
前記ＵＥから送信されて前記ＭＭ機能エンティティから転送された第１データを受信するステップを含む、請求項１に記載の方法。
【請求項９】
前記ネットワーク側機能エンティティがＳＭ機能エンティティであり、
前記の第１データをＵＥから取得するステップは、
前記ＵＥから送信されて前記ＭＭ機能エンティティから転送された第１データを受信するステップを含み、
前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、
記憶済みの前記ＵＥに割り当てられたＩＰアドレスを前記第１データのソースＩＰアドレスとして、前記デフォルトＩＰアドレスまたはランダムＩＰアドレスを置換するステップを含む、請求項１に記載の方法。
【請求項１０】
前記ＳＭ機能エンティティは、前記ＵＥにＩＰアドレスを割り当てる際に、ユーザプレーンゲートウェイを選択し、
前記方法において、
前記ＳＭ機能エンティティから前記ＵＥに割り当てられたＩＰアドレスで前記第１データのソースＩＰアドレスを置換して得られた第２データを、前記ユーザプレーンゲートウェイに送信するステップをさらに含む、請求項８又は９に記載の方法。
【請求項１１】
ネットワーク側機能エンティティに応用されるＩＰアドレス設定装置において、
ソースＩＰアドレスがデフォルトＩＰアドレスまたはランダムＩＰアドレスである第１データをＵＥ（Ｕｓｅｒ  Ｅｑｕｉｐｍｅｎｔ）から取得する取得モジュールと、
ＳＭ（Ｓｅｓｓｉｏｎ  Ｍａｎａｇｅｍｅｎｔ）機能エンティティから前記ＵＥに割り当てられたＩＰアドレスを前記第１データのソースＩＰアドレスとして、前記デフォルトＩＰアドレスまたはランダムＩＰアドレスを置換する置換モジュールとを含む、ＩＰアドレス設定装置。
【請求項１２】
前記ネットワーク側機能エンティティがＭＭ（Ｍｏｂｉｌｉｔｙ  Ｍａｎａｇｅｍｅｎｔ）機能エンティティであり、
前記置換モジュールは、
前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信する第１送信ユニットと、
前記ＳＭ機能エンティティから前記ＵＥに割り当てられたＩＰアドレスが付帯された第１応答メッセージを、前記ＳＭ機能エンティティから受信する第１受信ユニットと、
受信した前記ＵＥに割り当てられたＩＰアドレスを前記第１データのソースＩＰアドレスとして、前記デフォルトＩＰアドレスまたはランダムＩＰアドレスを置換する第１置換ユニットとを含む、請求項１１に記載の装置。
【請求項１３】
前記ネットワーク側機能エンティティがＭＭ機能エンティティであり、
前記置換モジュールは、
前記ＵＥに対応するＯＮ状態のタイマーがタイムアウトになったかを判断する判断ユニットと、
前記タイマーがタイムアウトになったと判断すると、前記ＳＭ機能エンティティから前記ＵＥへＩＰアドレスの割り当てを要求する第２要求メッセージを前記ＳＭ機能エンティティに送信する第２送信ユニットと、
前記ＳＭ機能エンティティから前記ＵＥに割り当てられたＩＰアドレスが付帯された第２応答メッセージを、前記ＳＭ機能エンティティから受信する第２受信ユニットと、
受信した前記ＵＥに割り当てられたＩＰアドレスを前記第１データのソースＩＰアドレスとして、前記デフォルトＩＰアドレスまたはランダムＩＰアドレスを置換する第２置換ユニットとを含む、請求項１１に記載の装置。
【請求項１４】
前記置換モジュールは、さらに、
前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換する第３置換ユニットを含む、請求項１３に記載の装置。
【請求項１５】
前記第２送信ユニットは、
前記タイマーがタイムアウトになったと判断すると、前記ＵＥの情報に基づいて、前記ＵＥに対し前記ＳＭ機能エンティティを選択する選択サブユニットと、
前記ＳＭ機能エンティティから前記ＵＥへＩＰアドレスの割り当てを要求する前記第２要求メッセージを前記ＳＭ機能エンティティに送信する送信サブユニットとを含む、請求項１３に記載の装置。
【発明の詳細な説明】
【技術分野】
【０００１】
本願は、２０１７年４月１３日に中国特許庁に提出された中国特許出願２０１７１０２３９４５８．６の優先権を主張し、その全ての内容が援用によりここに取り込まれる。
本開示は、通信技術分野に係り、特にＩＰアドレス設定方法および装置に係る。
【背景技術】
【０００２】
現在、ＥＰＳ（Ｅｖｏｌｖｅｄ  Ｐａｃｋｅｔ  Ｓｙｓｔｅｍ）において、ＭＭＥ（Ｍｏｂｉｌｉｔｙ  Ｍａｎａｇｅｍｅｎｔ  Ｅｎｔｉｔｙ）は、アタッチやトラッキングエリア更新などのＭＭ（Ｍｏｂｉｌｉｔｙ  Ｍａｎａｇｅｍｅｎｔ）機能と、公衆データ網接続の確立、修正および削除などのＳＭ（Ｓｅｓｓｉｏｎ  Ｍａｎａｇｅｍｅｎｔ）機能を同時にサポートする。端末からのＭＭメッセージおよびＳＭメッセージは、いずれもＭＭＥまで送信され、ＭＭＥによって処理される。
【０００３】
ネットワークのモジュール化を進めるために、５Ｇ（５  Ｇｅｎｅｒａｔｉｏｎ）システムにおいて、ＭＭ（移動性管理機能）とＳＭ（セッション管理機能）は、独立した２つの機能モジュールとして存在する。５Ｇネットワークにおいて、ゲートウェイの制御と転送の分離、ＭＭとＳＭの分離をサポートする。ここで、ＭＭ機能エンティティの主な機能は、ユーザ登録、ＵＥの達成できない発見、位置登録、ＵＥ状態の遷移、接続状態と非活性化状態の移動性、ＵＥの移動制限性、ＵＥの移動性管理制御、アンカーの選択、ユーザプレーンパスの確立などである。ＳＭ機能エンティティの主な機能は、データパケットの転送および検出、セッション制御、ユーザプレーン機能の選択、ＵＥに対するＩＰアドレスの割り当て（接続タイプ：ＩＰ）などである。ＭＭ機能エンティティとＳＭ機能エンティティの間において、情報のやり取りおよび協調を実現するには、シグナリングのやり取りが必要となる。
【０００４】
ＵＥ（Ｕｓｅｒ  Ｅｑｕｉｐｍｅｎｔ）からネットワーク側へのデータ送信の際に、ＩＰアドレスは、通常、データにカプセルされる。当該ＩＰアドレスは、ネットワーク側からＵＥに割り当てられてＵＥに送信される。現在、ネットワーク側からＩＰアドレスをＵＥに割り当てる方法として、ＵＥがネットワークにアタッチすると、ＩＰアドレスをＵＥに割り当てる方法や、ＵＥから送信されたデータを受信すると、ＩＰアドレスをＵＥに割り当てる方法がよく用いられる。ＵＥがネットワークにアタッチすると、ＩＰアドレスをＵＥに割り当てる方法は、ＩＰアドレスをＵＥに割り当てるニーズを満たすものの、ＵＥが車載機器などのある種のＩｏＴ（Ｉｎｔｅｒｎｅｔ  ｏｆ  Ｔｈｉｎｇｓ）ユーザである場合に、ＵＥのアンカーの変化に適応できない。一方、ＵＥから送信されたデータを受信すると、ＩＰアドレスをＵＥに割り当てる方法は、ＵＥのアンカーの変化に適応できるものの、ＵＥが広い範囲で移動する場合、新たなＩＰアドレスを更新するたびにシグナリングオーバーヘッドが増え、それに応じてＵＥによって頻繁にＩＰアドレスの設定および保守を行う必要があり、ＵＥの処理負担が増える。しかも、ＩｏＴユーザなど１組のＵＥに対しサービスを提供する場合、ＩＰアドレスをＵＥに割り当てる方法において、現在、ＵＥのＩＰアドレス設定を完成するには、ネットワーク側と各ＵＥとの間でシグナリングのやり取りを行う必要があり、シグナリングオーバーヘッドが大きい。
【発明の概要】
【発明が解決しようとする課題】
【０００５】
本開示の実施例は、ＵＥにＩＰアドレスを割り当てる方法の柔軟性が劣り、新規のＩＰアドレスの更新時のシグナリングオーバーヘッドが大きいという従来の問題を解決するために、ＩＰアドレス設定方法および装置を提供する。
【０００６】
一態様として、本開示の実施例は、ネットワーク側機能エンティティに応用されるＩＰアドレス設定方法を提供する。当該方法において、ソースＩＰアドレスがデフォルトＩＰアドレスまたはランダムＩＰアドレスである第１データを、ＵＥから取得するステップと、ＳＭ機能エンティティから前記ＵＥに割り当てられたＩＰアドレスを前記第１データのソースＩＰアドレスとして、前記デフォルトＩＰアドレスまたはランダムＩＰアドレスを置換するステップとを含む。
【０００７】
一部の選択可能な実施例において、前記ネットワーク側機能エンティティがＭＭ機能エンティティであり、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信するステップと、前記ＳＭ機能エンティティから前記ＵＥに割り当てられたＩＰアドレスが付帯された第１応答メッセージを、前記ＳＭ機能エンティティから受信するステップと、受信した前記ＵＥに割り当てられたＩＰアドレスを前記第１データのソースＩＰアドレスとして、前記デフォルトＩＰアドレスまたはランダムＩＰアドレスを置換するステップとを含む。
【０００８】
一部の選択可能な実施例において、前記ネットワーク側機能エンティティがＭＭ機能エンティティであり、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、前記ＵＥに対応するＯＮ状態のタイマーがタイムアウトになったかを判断するステップと、前記タイマーがタイムアウトになったと判断すると、前記ＳＭ機能エンティティから前記ＵＥへＩＰアドレスの割り当てを要求する第２要求メッセージを前記ＳＭ機能エンティティに送信するステップと、前記ＳＭ機能エンティティから前記ＵＥに割り当てられたＩＰアドレスが付帯された第２応答メッセージを、前記ＳＭ機能エンティティから受信するステップと、受信した前記ＵＥに割り当てられたＩＰアドレスを前記第１データのソースＩＰアドレスとして、前記デフォルトＩＰアドレスまたはランダムＩＰアドレスを置換するステップとを含む。
【０００９】
一部の選択可能な実施例において、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、さらに、前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換するステップを含む。
【００１０】
一部の選択可能な実施例において、前記タイマーがタイムアウトになったと判断すると、前記ＳＭ機能エンティティから前記ＵＥへＩＰアドレスの割り当てを要求する第２要求メッセージを前記ＳＭ機能エンティティに送信するステップは、前記タイマーがタイムアウトになったと判断すると、前記ＵＥの情報に基づいて、前記ＵＥに対し前記ＳＭ機能エンティティを選択するステップと、前記ＳＭ機能エンティティから前記ＵＥへＩＰアドレスの割り当てを要求する前記第２要求メッセージを前記ＳＭ機能エンティティに送信するステップとを含む。
【００１１】
一部の選択可能な実施例において、前記ＵＥの情報は、ＵＥ契約情報、ＵＥ位置情報、ＵＥタイプ情報のうちの１つまたは複数を含む。
【００１２】
一部の選択可能な実施例の前記方法において、前記ＳＭ機能エンティティから前記ＵＥに割り当てられたＩＰアドレスで前記第１データのソースＩＰアドレスを置換して得られた第２データを、前記ＳＭ機能エンティティに送信するステップをさらに含む。
【００１３】
一部の選択可能な実施例において、前記ネットワーク側機能エンティティがＳＭ機能エンティティであり、前記の第１データをＵＥから取得するステップは、前記ＵＥから前記ＭＭ機能エンティティに送信された第１データが付帯された第３要求メッセージを、ＭＭ機能エンティティから受信するステップを含み、前記の第１データをＵＥから取得するステップの後で、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップの前に、さらに、前記第３要求メッセージに基づいて、前記ＵＥにＩＰアドレスを割り当てるステップを含む。
【００１４】
一部の選択可能な実施例において、前記ネットワーク側機能エンティティがＳＭ機能エンティティであり、前記の第１データをＵＥから取得するステップの前に、さらに、前記ＵＥに対するＩＰアドレスの割り当てを前記ＳＭ機能エンティティに要求するための第４要求メッセージを、ＭＭ機能エンティティから受信するステップと、前記第４要求メッセージに基づいて、前記ＵＥにＩＰアドレスを割り当てるステップと、第４応答メッセージを前記ＭＭ機能エンティティに送信するステップとを含み、前記の第１データをＵＥから取得するステップは、前記ＵＥから送信されて前記ＭＭ機能エンティティから転送された第１データを受信するステップを含む。
【００１５】
一部の選択可能な実施例において、前記ネットワーク側機能エンティティがＳＭ機能エンティティであり、前記の第１データをＵＥから取得するステップは、前記ＵＥから送信されて前記ＭＭ機能エンティティから転送された第１データを受信するステップを含み、前記のＳＭ機能エンティティから前記ＵＥに割り当てられたＩＰアドレスを前記第１データのソースＩＰアドレスとして、前記デフォルトＩＰアドレスまたはランダムＩＰアドレスを置換するステップは、記憶済みの前記ＵＥに割り当てられたＩＰアドレスを前記第１データのソースＩＰアドレスとして、前記デフォルトＩＰアドレスまたはランダムＩＰアドレスを置換するステップを含む。
【００１６】
一部の選択可能な実施例において、前記ＳＭ機能エンティティは、前記ＵＥにＩＰアドレスを割り当てる際に、ユーザプレーンゲートウェイを選択する。前記方法において、前記ＳＭ機能エンティティから前記ＵＥに割り当てられたＩＰアドレスで前記第１データのソースＩＰアドレスを置換して得られた第２データを、前記ユーザプレーンゲートウェイに送信するステップをさらに含む。
【００１７】
別の態様として、本開示の実施例は、さらに、ネットワーク側機能エンティティに応用されるＩＰアドレス設定装置を提供する。当該装置は、ソースＩＰアドレスがデフォルトＩＰアドレスまたはランダムＩＰアドレスである第１データをＵＥから取得する取得モジュールと、ＳＭ機能エンティティから前記ＵＥに割り当てられたＩＰアドレスを前記第１データのソースＩＰアドレスとして、前記デフォルトＩＰアドレスまたはランダムＩＰアドレスを置換する置換モジュールとを含む。
【００１８】
一部の選択可能な実施例において、前記ネットワーク側機能エンティティがＭＭ機能エンティティであり、前記置換モジュールは、前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信する第１送信ユニットと、前記ＳＭ機能エンティティから前記ＵＥに割り当てられたＩＰアドレスが付帯された第１応答メッセージを、前記ＳＭ機能エンティティから受信する第１受信ユニットと、受信した前記ＵＥに割り当てられたＩＰアドレスを前記第１データのソースＩＰアドレスとして、前記デフォルトＩＰアドレスまたはランダムＩＰアドレスを置換する第１置換ユニットとを含む。
【００１９】
一部の選択可能な実施例において、前記ネットワーク側機能エンティティがＭＭ機能エンティティであり、前記置換モジュールは、前記ＵＥに対応するＯＮ状態のタイマーがタイムアウトになったかを判断する判断ユニットと、前記タイマーがタイムアウトになったと判断すると、前記ＳＭ機能エンティティから前記ＵＥへＩＰアドレスの割り当てを要求する第２要求メッセージを前記ＳＭ機能エンティティに送信する第２送信ユニットと、前記ＳＭ機能エンティティから前記ＵＥに割り当てられたＩＰアドレスが付帯された第２応答メッセージを、前記ＳＭ機能エンティティから受信する第２受信ユニットと、受信した前記ＵＥに割り当てられたＩＰアドレスを前記第１データのソースＩＰアドレスとして、前記デフォルトＩＰアドレスまたはランダムＩＰアドレスを置換する第２置換ユニットとを含む。
【００２０】
一部の選択可能な実施例において、前記置換モジュールは、さらに、前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換する第３置換ユニットを含む。
【００２１】
一部の選択可能な実施例において、前記第２送信ユニットは、前記タイマーがタイムアウトになったと判断すると、前記ＵＥの情報に基づいて、前記ＵＥに対し前記ＳＭ機能エンティティを選択する選択サブユニットと、前記ＳＭ機能エンティティから前記ＵＥへＩＰアドレスの割り当てを要求する前記第２要求メッセージを前記ＳＭ機能エンティティに送信する送信サブユニットとを含む。
【００２２】
一部の選択可能な実施例において、前記ＵＥの情報は、ＵＥ契約情報、ＵＥ位置情報、ＵＥタイプ情報のうちの１つまたは複数を含む。
【００２３】
一部の選択可能な実施例において、前記装置は、前記ＳＭ機能エンティティから前記ＵＥに割り当てられたＩＰアドレスで前記第１データのソースＩＰアドレスを置換して得られた第２データを、前記ＳＭ機能エンティティに送信する第１送信モジュールをさらに含む。
【００２４】
一部の選択可能な実施例において、前記ネットワーク側機能エンティティがＳＭ機能エンティティであり、前記取得モジュールは、具体的に、前記ＵＥから前記ＭＭ機能エンティティに送信された第１データが付帯された第３要求メッセージを、ＭＭ機能エンティティから受信し、前記装置は、前記第３要求メッセージに基づいて、前記ＵＥにＩＰアドレスを割り当てる第１割当モジュールをさらに含む。
【００２５】
一部の選択可能な実施例において、前記ネットワーク側機能エンティティがＳＭ機能エンティティであり、前記装置は、前記ＵＥに対するＩＰアドレスの割り当てを前記ＳＭ機能エンティティに要求するための第４要求メッセージを、ＭＭ機能エンティティから受信する受信モジュールと、前記第４要求メッセージに基づいて、前記ＵＥにＩＰアドレスを割り当てる第２割当モジュールと、第４応答メッセージを前記ＭＭ機能エンティティに送信する第２送信モジュールとをさらに含み、前記取得モジュールは、具体的に、前記ＵＥから送信されて前記ＭＭ機能エンティティから転送された第１データを受信する。
【００２６】
一部の選択可能な実施例において、前記ネットワーク側機能エンティティがＳＭ機能エンティティであり、前記取得モジュールは、具体的に、前記ＵＥから送信されて前記ＭＭ機能エンティティから転送された第１データを受信し、前記置換モジュールは、具体的に、記憶済みの前記ＵＥに割り当てられたＩＰアドレスを前記第１データのソースＩＰアドレスとして、前記デフォルトＩＰアドレスまたはランダムＩＰアドレスを置換する。
【００２７】
一部の選択可能な実施例において、前記ＳＭ機能エンティティは、前記ＵＥにＩＰアドレスを割り当てる際に、ユーザプレーンゲートウェイを選択する。前記装置は、前記ＳＭ機能エンティティから前記ＵＥに割り当てられたＩＰアドレスで前記第１データのソースＩＰアドレスを置換して得られた第２データを、前記ユーザプレーンゲートウェイに送信する第３送信モジュールをさらに含む。
【００２８】
別の態様として、本開示の実施例は、さらに、トランシーバと、プロセッサと、メモリとを含むネットワーク側機能エンティティを提供する。ここで、プロセッサは、メモリからプログラムを読み取ることによって、ソースＩＰアドレスがデフォルトＩＰアドレスまたはランダムＩＰアドレスである第１データをＵＥから取得するようトランシーバを制御し、ＳＭ機能エンティティから前記ＵＥに割り当てられたＩＰアドレスを前記第１データのソースＩＰアドレスとして、前記デフォルトＩＰアドレスまたはランダムＩＰアドレスを置換するプロセスを実行する。トランシーバは、データを送受信する。
【００２９】
本開示の実施例のＩＰアドレス設定方法において、デフォルトＩＰアドレスまたはランダムＩＰアドレスであるＵＥからの送信データのソースＩＰアドレスを、ネットワーク側機能エンティティによって特定して置換することによって、ＳＭ機能エンティティからＵＥに割り当てられたＩＰアドレスがＵＥによってリアルタイムに取得されることや、ＳＭ機能エンティティからＵＥに割り当てられたＩＰアドレスが送信データのソースＩＰアドレスに付帯されることが避けられるため、ＵＥのアンカーの変化に適応でき、ＩＰアドレスの設定を柔軟に行うことができ、かつＩＰアドレスをＵＥに割り当てる従来の方法に比べ、新規のＩＰアドレスの更新時のシグナリングオーバーヘッドを軽減することができ、ＵＥによるＩＰアドレスの設定および保守を必要とせず、ＵＥの処理負担を低減させ、特に、ネットワーク側から１組のＵＥに対しサービスを提供する場合、ＵＥのＩＰアドレス設定を完成させるには、各ＵＥとの間でシグナリングのやり取りを行う必要がなく、ＵＥによる設定になっております。のシグナリングオーバーヘッドを軽減する。
【図面の簡単な説明】
【００３０】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３１】
【図１】本開示の実施例におけるＩＰアドレス設定方法のフローチャートである。
【図２】本開示の実施例における第１データのソースＩＰアドレスの置換プロセスの一つのフローチャートである。
【図３】本開示の実施例における第１データのソースＩＰアドレスの置換プロセスのもう一つのフローチャートである。
【図４】本開示の実例１におけるデータ伝送プロセスのフローチャートである。
【図５】本開示の実例２におけるデータ伝送プロセスのフローチャートである。
【図６】本開示の実例３におけるデータ伝送プロセスのフローチャートである。
【図７】本開示の実例４におけるデータ伝送プロセスのフローチャートである。
【図８】本開示の実例５におけるデータ伝送プロセスのフローチャートである。
【図９】本開示の実例６におけるデータ伝送プロセスのフローチャートである。
【図１０】本開示の実例７におけるデータ伝送プロセスのフローチャートである。
【図１１】本開示の実例８におけるデータ伝送プロセスのフローチャートである。
【図１２】本開示の実例９におけるデータ伝送プロセスのフローチャートである。
【図１３】本開示の実例１０におけるデータ伝送プロセスのフローチャートである。
【図１４】本開示の実施例におけるＩＰアドレス設定装置の構造図である。
【図１５】本開示の実施例におけるＩＰアドレス設定装置の構造図である。
【図１６】本開示の実施例におけるＩＰアドレス設定装置の構造図である。
【図１７】本開示の実施例におけるＩＰアドレス設定装置の構造図である。
【図１８】本開示の実施例におけるネットワーク側機能エンティティの構造図である。
【発明を実施するための形態】
【００３２】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえるほかの実施例は、すべて本開示の保護範囲に属するものである。
【００３３】
図１に示すように、本開示の実施例は、ネットワーク側機能エンティティに応用されるＩＰアドレス設定方法を提供する。当該方法において、以下のステップ１０１〜ステップ１０２を含み、以下詳細に記載する。
【００３４】
ステップ１０１において、ソースＩＰアドレスがデフォルトＩＰアドレスまたはランダムＩＰアドレスである第１データを、ＵＥから取得する。
【００３５】
ここで、本開示の実施例のネットワーク側機能エンティティは、ＭＭ機能エンティティであってもよく、ＳＭ機能エンティティであってもよい。ＵＥからネットワーク側に第１データを送信する場合、ネットワーク側からＵＥに割り当てられたＩＰアドレスは、第１データに付帯されず、デフォルトＩＰアドレスまたはランダムＩＰアドレスを第１データのソースＩＰアドレスとする。このように、ネットワーク側からＩＰアドレスをＵＥに割り当てた後に、ＵＥに割り当てたＩＰアドレスをＵＥに送信せず、ＵＥによるＩＰアドレス設定および保守を必要とせず、ＩＰアドレスに対するＵＥの処理負担が軽減される。
【００３６】
ステップ１０２において、ＳＭ機能エンティティから前記ＵＥに割り当てられたＩＰアドレスを前記第１データのソースＩＰアドレスとして、前記デフォルトＩＰアドレスまたはランダムＩＰアドレスを置換する。
【００３７】
ここで、ネットワーク側機能エンティティは、ＵＥから送信された第１データを受信すると、第１データのソースＩＰアドレスを、ＳＭ機能エンティティからＵＥに割り当てられたＩＰアドレスに置換し、すなわち、初期設定で付帯されたデフォルトＩＰアドレスまたはランダムＩＰアドレスを置換してデータ網に送信する。このように、ＵＥから、ＳＭ機能エンティティからＵＥに割り当てられたＩＰアドレスを第１データのソースＩＰアドレスに付帯しないが、ネットワーク側機能エンティティによって第１データのソースＩＰアドレスの更新を行ったため、データ網では、正しいＩＰアドレス（すなわちＵＥに割り当てられたＩＰアドレス）が付帯されたデータが取得される。
【００３８】
本開示の実施例のＩＰアドレス設定方法において、デフォルトＩＰアドレスまたはランダムＩＰアドレスであるＵＥからの送信データのソースＩＰアドレスを、ネットワーク側機能エンティティによって特定して置換することによって、ＳＭ機能エンティティからＵＥに割り当てられたＩＰアドレスがＵＥによってリアルタイムに取得されることや、ＳＭ機能エンティティからＵＥに割り当てられたＩＰアドレスが送信データのソースＩＰアドレスに付帯されることが避けられるため、ＵＥのアンカーの変化に適応でき、ＩＰアドレスの設定を柔軟に行うことができ、かつＩＰアドレスをＵＥに割り当てる従来の方法に比べ、新規ＩＰアドレスの更新時のシグナリングオーバーヘッドを軽減することができ、ＵＥによるＩＰアドレスの設定および保守を必要とせず、ＵＥの処理負担を低減させ、特に、ネットワーク側から１組のＵＥに対しサービスを提供する場合、ＵＥのＩＰアドレス設定を完成させるには、各ＵＥとの間でシグナリングのやり取りを行う必要がなく、ＵＥによる設定のシグナリングオーバーヘッドを軽減する。
【００３９】
上記の実施例は、本開示のＩＰアドレス設定方法の基本的なフローを説明したが、以下、実行エンティティがそれぞれＭＭ機能エンティティまたはＳＭ機能伝ティティである場合の、本開示の実施例のＩＰアドレス設定方法を説明する。
【００４０】
本開示の実施例において、当該ＩＰアドレス設定方法の実行エンティティは、ＭＭ機能エンティティであってもよい。ＭＭ機能エンティティは、ＵＥから送信された第１データを受信すると、第１データのデフォルトＩＰアドレスまたはランダムＩＰアドレス、または、ＵＥに対応するタイマー（通常、ＵＥから送信されたデータがＭＭ機能エンティティによってすべて転送されてからリスタートするが、ＵＥからデータを送信しない時間を指す。）がタイムアウトになったことに基づいて、ＵＥに対しＳＭ機能エンティティを選択すると特定し、ＵＥの情報に基づいて、ＵＥに対しＳＭ機能エンティティを選択する。ここで、ＵＥの情報は、ＵＥ契約情報、ＵＥ位置情報、ＵＥタイプ情報およびＵＥのほかの補助情報のうちの１つまたは複数を含む。
【００４１】
ＭＭ機能エンティティは、ＵＥに対しＳＭ機能エンティティを選択した後に、選択したＳＭ機能エンティティに対し、要求メッセージ、たとえばセッション作成要求メッセージを送信し、ＵＥにＩＰアドレスを割り当てるようＳＭ機能エンティティに要求する。ＭＭ機能エンティティは、ＳＭ機能エンティティからＵＥに割り当てられたＩＰアドレスが付帯された応答メッセージ、たとえばセッション作成応答メッセージをＳＭ機能エンティティから受信し、第１データのデフォルトＩＰアドレスまたはランダムＩＰアドレスを置換する。ＳＭ機能エンティティは、ＵＥにＩＰアドレスを割り当てる際に、ＳＭ関連情報に基づいて、ＵＥコンテキストの作成やＵＰ−ＧＷの選択などを同時に行う。
【００４２】
具体的に、図２に示すように、ＭＭ機能エンティティが、ＵＥから送信された第１データを受信すると、ＳＭ機能エンティティからＵＥに割り当てられたＩＰアドレスを第１データのソースＩＰアドレスとして、デフォルトＩＰアドレスまたはランダムＩＰアドレスを置換するプロセスは、デフォルトＩＰアドレスまたはランダムＩＰアドレスに基づいて、ＳＭ機能エンティティからＵＥへＩＰアドレスの割り当てを要求する第１要求メッセージをＳＭ機能エンティティに送信するステップ２０１と、ＳＭ機能エンティティからＵＥに割り当てられたＩＰアドレスが付帯された第１応答メッセージを、ＳＭ機能エンティティから受信するステップ２０２と、受信したＵＥに割り当てられたＩＰアドレスを第１データのソースＩＰアドレスとして、デフォルトＩＰアドレスまたはランダムＩＰアドレスを置換するステップ２０３とを含む。
【００４３】
ここで、当該第１要求メッセージは、セッション作成要求メッセージであり、当該第１応答メッセージは、セッション作成応答メッセージである。
【００４４】
上記図２に示す実施例において、ＭＭ機能エンティティは、デフォルトＩＰアドレスまたはランダムＩＰアドレスに基づいて、要求メッセージをＳＭ機能エンティティに送信するが、この方式のほかに、図３に示す実施例のように、ＵＥに対応するタイマーがタイムアウトになったことに基づいて、要求メッセージをＳＭ機能エンティティに送信してもよい。
【００４５】
具体的に、図３に示すように、ＭＭ機能エンティティが、ＵＥから送信された第１データを受信すると、ＳＭ機能エンティティからＵＥに割り当てられたＩＰアドレスを第１データのソースＩＰアドレスとして、デフォルトＩＰアドレスまたはランダムＩＰアドレスを置換するプロセスは、ＵＥに対応するＯＮ状態のタイマーがタイムアウトになったかを判断するステップ３０１と、当該タイマーがタイムアウトになったと判断すると、ＳＭ機能エンティティからＵＥへＩＰアドレスの割り当てを要求する第２要求メッセージをＳＭ機能エンティティに送信するステップ３０２と、ＳＭ機能エンティティからＵＥに割り当てられたＩＰアドレスが付帯された第２応答メッセージを、ＳＭ機能エンティティから受信するステップ３０３と、受信したＵＥに割り当てられたＩＰアドレスを第１データのソースＩＰアドレスとして、デフォルトＩＰアドレスまたはランダムＩＰアドレスを置換するステップ３０４と、当該タイマーがタイムアウトになっていないと判断すると、記憶済みのＵＥに割り当てられたＩＰアドレスを第１データのソースＩＰアドレスとして、デフォルトＩＰアドレスまたはランダムＩＰアドレスを置換するステップ３０５とを含む。
【００４６】
ここで、当該第２要求メッセージは、セッション作成要求メッセージであり、当該第２応答メッセージは、セッション作成応答メッセージである。当該ステップ３０２は、具体的に、当該タイマーがタイムアウトになったと判断すると、ＵＥの情報に基づいて、ＵＥに対し、マッチするＳＭ機能エンティティを選択し、ＳＭ機能エンティティからＵＥへＩＰアドレスの割り当てを要求する第２要求メッセージを、選択したＳＭ機能エンティティに送信する。
【００４７】
本開示の実施例のＩＰアドレス設定方法において、第１データのソースＩＰアドレスを置換した後に、ＭＭ機能エンティティは、ＳＭ機能エンティティからＵＥに割り当てられたＩＰアドレスで第１データのソースＩＰアドレスを置換して得られた第２データを、ＳＭ機能エンティティに送信するステップをさらに実行する。ここで、当該第１データと第２データとの相違点は、単にソースＩＰアドレスが異なることである。第１データのソースＩＰアドレスは、デフォルトＩＰアドレスまたはランダムＩＰアドレスであるが、第２データのソースＩＰアドレスは、ＳＭ機能エンティティからＵＥに割り当てられたＩＰアドレスである。
【００４８】
このように、ＳＭ機能エンティティからＵＥに割り当てられたＩＰアドレスが付帯されたデータを、ＳＭ機能エンティティによってデータ網に転送し、正常のデータ伝送プロセスが保証される。
【００４９】
以下、図４〜図７を参照し、本開示の具体的な実例１〜４のデータ伝送プロセスを説明する。
【００５０】
（実例１）
実例１は、ＭＭ機能エンティティがデータのソースＩＰアドレスを更新するシーンにおける初回のデータ伝送プロセスまたはタイマーがタイムアウトになったときのデータ伝送プロセスに関する。
【００５１】
図４に示すように、当該実例１のデータ伝送プロセスは、以下のステップ４０１〜４１０を含む。
【００５２】
ステップ４０１において、ＵＥは、送信すべくデータを第１伝送データにカプセルさせてＲＡＮに送信する。当該第１伝送データのソースＩＰアドレスＳｏｕｒｃｅ＿ＩＰは、デフォルトＩＰアドレスまたはランダムＩＰアドレスである。
【００５３】
ステップ４０２において、ＲＡＮは、第１伝送データをＭＭ機能エンティティに転送する。
【００５４】
ステップ４０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【００５５】
ステップ４０４において、ＭＭ機能エンティティは、選択したＳＭ機能エンティティに第１セッション作成要求メッセージを送信し、ＵＥに対しセッションを作成するようＳＭ機能エンティティに要求する。当該第１セッション作成要求メッセージに付帯された情報は、ＵＥがＩｏＴユーザである旨およびＳＭ関連情報を含む。
【００５６】
ステップ４０５において、ＳＭ機能エンティティは、ＳＭ関連情報に基づいて、ＵＥコンテキストの作成、ＵＰ−ＧＷの選択およびＵＥに対するＩＰアドレスの割り当てを行う。
【００５７】
ステップ４０６において、ＳＭ機能エンティティは、第１セッション作成応答メッセージをＭＭ機能エンティティに送信する。当該第１セッション作成応答メッセージには、ＵＥに割り当てられたＩＰアドレスが付帯される。
【００５８】
ステップ４０７において、ＭＭ機能エンティティは、受信した第１セッション作成応答メッセージに付帯され、ＵＥに割り当てられたＩＰアドレスに基づいて、データパケットのカプセル化を行う。すなわち、当該ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【００５９】
ステップ４０８において、ＭＭ機能エンティティは、選択したＳＭ機能エンティティに第２伝送データを送信する。
【００６０】
ステップ４０９において、ＳＭ機能エンティティは、選択したＵＰ−ＧＷに第２伝送データを転送する。ＵＰ−ＧＷは、第２伝送データをデータ網ＤＮに送信することができる。
【００６１】
ステップ４１０において、ＵＰ−ＧＷは、ＤＮからＵＥに送信される第３伝送データを受信すると、ＳＭ機能エンティティ、ＭＭ機能エンティティおよびＲＡＮを介して第３伝送データをＵＥに転送する。
【００６２】
（実例２）
上記の実例１は、ＭＭ機能エンティティがデータのソースＩＰアドレスを更新するシーンにおける初回のデータ伝送プロセスまたはタイマーがタイムアウトになったときのデータ伝送プロセスに関するが、実際のデータ伝送プロセスにおいて、実例２のように、データ再送プロセスまたはタイマーがタイムアウトになっていないときのデータ伝送プロセスも存在する。
【００６３】
図５に示すように、当該実例２のデータ伝送プロセスは、以下のステップ５０１〜５０６を含む。
【００６４】
ステップ５０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【００６５】
ステップ５０２において、ＲＡＮは、第１伝送データをＭＭ機能エンティティに転送する。
【００６６】
ステップ５０３において、ＭＭ機能エンティティは、第１伝送データを受信すると、タイマー（ＯＮ状態のＵＥのタイマー）がタイムアウトになっていないと判断すると、データパケットのカプセル化を行う。すなわち、記憶済みのＵＥに割り当てられたＩＰアドレスを第１データのＳｏｕｒｃｅ＿ＩＰとして、デフォルトＩＰアドレスまたはランダムＩＰアドレスを置換して第２伝送データを得る。
【００６７】
ステップ５０４において、ＭＭ機能エンティティは、選択したＳＭ機能エンティティに第２伝送データを送信する。
【００６８】
ステップ５０５において、ＳＭ機能エンティティは、選択したＵＰ−ＧＷに第２伝送データを転送する。ＵＰ−ＧＷは、第２伝送データをＤＮに送信することができる。
【００６９】
ステップ５０６において、ＵＰ−ＧＷは、ＤＮからＵＥに送信される第３伝送データを受信すると、ＳＭ機能エンティティ、ＭＭ機能エンティティおよびＲＡＮを介して第３伝送データをＵＥに転送する。
【００７０】
（実例３）
実例３は、ＭＭ機能エンティティによるデータのソースＩＰアドレスの更新およびＳＤＮ（Ｓｏｆｔｗａｒｅ  Ｄｅｆｉｎｅｄ  Ｎｅｔｗｏｒｋ）技術に基づくコアネットワーク（Ｏｐｅｎ  Ｆｌｏｗプロトコルを採用する）のシーンにおける初回のデータ伝送プロセスまたはタイマーがタイムアウトになったときのデータ伝送プロセスに関する。
【００７１】
図６に示すように、当該実例３のデータ伝送プロセスは、以下のステップ６０１〜６１１を含む。
【００７２】
ステップ６０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【００７３】
ステップ６０２において、ＲＡＮは、第１伝送データをＭＭ機能エンティティに転送する。
【００７４】
ステップ６０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【００７５】
ステップ６０４において、ＭＭ機能エンティティは、選択したＳＭ機能エンティティに第２セッション作成要求メッセージを送信し、ＵＥに対しセッションを作成するようＳＭ機能エンティティに要求する。当該第２セッション作成要求メッセージに付帯された情報は、ＵＥがＩｏＴユーザである旨およびＳＭ関連情報を含む。
【００７６】
ステップ６０５において、ＳＭ機能エンティティは、ＳＭ関連情報に基づいて、ＵＥコンテキストの作成、ＵＰ−ＧＷの選択およびＵＥに対するＩＰアドレスの割り当てを行う。
【００７７】
ステップ６０６において、ＳＭ機能エンティティは、第２セッション作成応答メッセージをＭＭ機能エンティティに送信する。当該第２セッション作成応答メッセージには、ＵＥに割り当てられたＩＰアドレスが付帯される。
【００７８】
ステップ６０７において、ＭＭ機能エンティティは、受信した第２セッション作成応答メッセージに付帯され、ＵＥに割り当てられたＩＰアドレスに基づいて、データパケットのカプセル化を行う。すなわち、ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【００７９】
ステップ６０８において、ＭＭ機能エンティティは、選択したＳＭ機能エンティティに第２伝送データを送信する。
【００８０】
ステップ６０９において、ＳＭ機能エンティティは、選択したＵＰ−ＧＷに対し、第２伝送データが付帯された第１Ｐａｃｋｅｔ−ｏｕｔメッセージを送信する。ＵＰ−ＧＷは、第２伝送データをＤＮに送信することができる。
【００８１】
ステップ６１０において、ＵＰ−ＧＷは、ＤＮからＵＥに送信される第３伝送データを受信すると、第３伝送データが付帯された第１Ｐａｃｋｅｔ−ｉｎメッセージをＳＭ機能エンティティに送信する。
【００８２】
ステップ６１１において、ＳＭ機能エンティティは、ＭＭ機能エンティティおよびＲＡＮを介して第３伝送データをＵＥに転送する。
【００８３】
（実例４）
上記の実例３は、ＭＭ機能エンティティによるデータのソースＩＰアドレスの更新およびＳＤＮ技術に基づくコアネットワークのシーンにおける初回のデータ伝送プロセスまたはタイマーがタイムアウトになったときのデータ伝送プロセスに関するが、実際のデータ伝送プロセスにおいて、実例４のように、データ再送プロセスまたはタイマーがタイムアウトになっていないときのデータ伝送プロセスも存在する。
【００８４】
図７に示すように、当該実例４のデータ伝送プロセスは、以下のステップ７０１〜７０７を含む。
【００８５】
ステップ７０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【００８６】
ステップ７０２において、ＲＡＮは、第１伝送データをＭＭ機能エンティティに転送する。
【００８７】
ステップ７０３において、ＭＭ機能エンティティは、第１伝送データを受信すると、タイマー（ＯＮ状態のＵＥのタイマー）がタイムアウトになっていないと判断すると、データパケットのカプセル化を行う。すなわち、記憶済みのＵＥに割り当てられたＩＰアドレスを第１データのＳｏｕｒｃｅ＿ＩＰとして、デフォルトＩＰアドレスまたはランダムＩＰアドレスを置換して第２伝送データを得る。
【００８８】
ステップ７０４において、ＭＭ機能エンティティは、選択したＳＭ機能エンティティに第２伝送データを送信する。
【００８９】
ステップ７０５において、ＳＭ機能エンティティは、選択したＵＰ−ＧＷに対し、第２伝送データが付帯された第２Ｐａｃｋｅｔ−ｏｕｔメッセージを送信する。ＵＰ−ＧＷは、第２Ｐａｃｋｅｔ−ｏｕｔメッセージをＤＮに送信することができる。
【００９０】
ステップ７０６において、ＵＰ−ＧＷは、ＤＮからＵＥに送信される第３伝送データを受信すると、第３伝送データが付帯された第２Ｐａｃｋｅｔ−ｉｎメッセージをＳＭ機能エンティティに送信する。
【００９１】
ステップ７０７において、ＳＭ機能エンティティは、ＭＭ機能エンティティおよびＲＡＮを介して第３伝送データをＵＥに転送する。
【００９２】
本開示の実施例において、当該ＩＰアドレス設定方法の実行エンティティは、ＳＭ機能エンティティであってもよい。ＳＭ機能エンティティは、ＵＥから送信された第１データを少なくとも以下２つの方式で取得し、以下詳細に記載する。
【００９３】
（方式１）
方式１において、ＳＭ機能エンティティが、ＵＥから送信された第１データを取得するプロセスは、具体的に、ＵＥからＭＭ機能エンティティに送信された第１データが付帯された第３要求メッセージを、ＭＭ機能エンティティから受信する。
【００９４】
ここで、当該第３要求メッセージは、セッション作成要求メッセージである。ＳＭ機能エンティティは、ＭＭ機能エンティティから送信された第３要求メッセージを受信すると、当該第３要求メッセージに基づいて、ＩＰアドレスをＵＥに割り当て、ＵＥに割り当てたＩＰアドレスを第１データのソースＩＰアドレスとして、デフォルトＩＰアドレスまたはランダムＩＰアドレスを置換する。
【００９５】
（方式２）
上記方式１において、ＳＭ機能エンティティは、要求メッセージを受信することによって、第１データをＵＥから取得する。この方式のほかに、方式２のように、ＳＭ機能エンティティは、直接、ＵＥから送信されてＭＭ機能エンティティから転送された第１データを受信してもよい。
【００９６】
方式２において、ＳＭ機能エンティティが、ＵＥから送信された第１データを取得するプロセスは、具体的に、ＵＥから送信されてＭＭ機能エンティティから転送された第１データを受信する。
【００９７】
ここで、ＵＥから送信されてＭＭ機能エンティティから転送された第１データを受信する前に、ＳＭ機能エンティティは、ＵＥに対するＩＰアドレスの割り当てをＳＭ機能エンティティに要求するための第４要求メッセージを、ＭＭ機能エンティティから受信し、当該第４要求メッセージに基づいて、ＵＥにＩＰアドレスを割り当て、第４応答メッセージをＭＭ機能エンティティに送信する。ＭＭ機能エンティティは、第４応答メッセージを受信すると、ＵＥから送信された第１データをＳＭ機能エンティティに転送する。第４要求メッセージを送信する前に、ＭＭ機能エンティティは、第１データのデフォルトＩＰアドレスまたはランダムＩＰアドレス、または、ＵＥに対応するタイマーがタイムアウトになったことに基づいて、ＵＥに対しＳＭ機能エンティティを選択すると特定し、ＵＥの情報に基づいて、ＵＥにに対しＳＭ機能エンティティを選択する。
【００９８】
ＳＭ機能エンティティは、第１データを受信すると、ＵＥに割り当てられたＩＰアドレスを第１データのソースＩＰアドレスとして、デフォルトＩＰアドレスまたはランダムＩＰアドレスを置換する。当該第４要求メッセージは、セッション作成要求メッセージであり、当該第４応答メッセージは、セッション作成応答メッセージである。
【００９９】
また、ＭＭ機能エンティティは、ＵＥに対応するタイマーがタイムアウトになっていないと判断すると、直接、ＵＥから送信された第１データをＳＭ機能エンティティに転送する。この場合、ＳＭ機能エンティティは、ＵＥから送信されてＭＭ機能エンティティから転送された第１データを受信すると、記憶済みのＵＥに割り当てられたＩＰアドレスを第１データのソースＩＰアドレスとして、デフォルトＩＰアドレスまたはランダムＩＰアドレスを置換する。
【０１００】
本開示の実施例において、ＳＭ機能エンティティは、ＵＥにＩＰアドレスを割り当てる際に、ユーザプレーンゲートウェイの選択およびＵＥコンテキストの作成を行ってもよい。第１データのソースＩＰアドレスを置換した後に、ＳＭ機能エンティティは、さらに、ＳＭ機能エンティティからＵＥに割り当てられたＩＰアドレスで第１データのソースＩＰアドレスを置換して得られた第２データを、選択したユーザプレーンゲートウェイに送信するステップを実行する。ここで、当該第１データと第２データとの相違点は、単にソースＩＰアドレスが異なることである。第１データのソースＩＰアドレスは、デフォルトＩＰアドレスまたはランダムＩＰアドレスであるが、第２データのソースＩＰアドレスは、ＳＭ機能エンティティからＵＥに割り当てられたＩＰアドレスである。
【０１０１】
このように、ＳＭ機能エンティティからＵＥに割り当てられたＩＰアドレスが付帯されたデータを、選択されたユーザプレーンゲートウェイによってデータ網に転送し、正常のデータ伝送プロセスが保証される。
【０１０２】
以下、図８〜図１３を参照し、本開示の具体的な実例５〜１０のデータ伝送プロセスを説明する。
【０１０３】
（実例５）
実例５は、ＳＭ機能エンティティがデータのソースＩＰアドレスを更新するシーンにおける初回のデータ伝送プロセスまたはタイマーがタイムアウトになったときのデータ伝送プロセスに関する。
【０１０４】
図８に示すように、当該実例５のデータ伝送プロセスは、以下のステップ８０１〜８０７を含む。
【０１０５】
ステップ８０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１０６】
ステップ８０２において、ＲＡＮは、第１伝送データをＭＭ機能エンティティに転送する。
【０１０７】
ステップ８０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【０１０８】
ステップ８０４において、ＭＭ機能エンティティは、選択したＳＭ機能エンティティに第３セッション作成要求メッセージを送信し、ＵＥに対しセッションを作成するようＳＭ機能エンティティに要求する。当該第３セッション作成要求メッセージに付帯された情報は、ＵＥがＩｏＴユーザである旨、ＳＭ関連情報および第１伝送データを含む。
【０１０９】
ステップ８０５において、ＳＭ機能エンティティは、ＳＭ関連情報に基づいて、ＵＥコンテキストの作成、ＵＰ−ＧＷの選択およびＵＥに対するＩＰアドレスの割り当てを行い、データパケットのカプセル化を行い、すなわち、当該ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【０１１０】
ステップ８０６において、ＳＭ機能エンティティは、第３セッション作成応答メッセージをＭＭ機能エンティティに送信すると同時に、選択したＵＰ−ＧＷに対し第２伝送データを送信する。ＵＰ−ＧＷは、第２伝送データをＤＮに送信することができる。
【０１１１】
ステップ８０７において、ＵＰ−ＧＷは、ＤＮからＵＥに送信される第３伝送データを受信すると、ＳＭ機能エンティティ、ＭＭ機能エンティティおよびＲＡＮを介して第３伝送データをＵＥに転送する。
【０１１２】
（実例６）
上記の実例５において、ＭＭ機能エンティティは、第１伝送データをセッション作成要求メッセージに付帯してＳＭ機能エンティティに送信するが、実例６のように、ＭＭ機能エンティティは、直接、第１伝送データをＳＭ機能エンティティに送信してもよい。実例６において、ＳＭ機能エンティティがデータのソースＩＰアドレスを更新するシーンにおける別の初回データ伝送プロセスまたはタイマーがタイムアウトになったときのデータ伝送プロセスに関する。
【０１１３】
図９に示すように、当該実例６のデータ伝送プロセスは、以下のステップ９０１〜９１０を含む。
【０１１４】
ステップ９０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１１５】
ステップ９０２において、ＲＡＮは、第１伝送データをＭＭ機能エンティティに転送する。
【０１１６】
ステップ９０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【０１１７】
ステップ９０４において、ＭＭ機能エンティティは、選択したＳＭ機能エンティティに第４セッション作成要求メッセージを送信し、ＵＥに対しセッションを作成するようＳＭ機能エンティティに要求する。当該第４セッション作成要求メッセージに付帯された情報は、ＵＥがＩｏＴユーザである旨およびＳＭ関連情報を含む。
【０１１８】
ステップ９０５において、ＳＭ機能エンティティは、ＳＭ関連情報に基づいて、ＵＥコンテキストの作成、ＵＰ−ＧＷの選択およびＵＥに対するＩＰアドレスの割り当てを行う。
【０１１９】
ステップ９０６において、ＳＭ機能エンティティは、第４セッション作成応答メッセージをＭＭ機能エンティティに送信する。
【０１２０】
ステップ９０７において、ＭＭ機能エンティティは、第４セッション作成応答メッセージを受信すると、第１伝送データをＳＭ機能エンティティに送信する。
【０１２１】
ステップ９０８において、ＳＭ機能エンティティは、第１伝送データを受信すると、データパケットのカプセル化を行う。すなわち、ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【０１２２】
ステップ９０９において、ＳＭ機能エンティティは、選択したＵＰ−ＧＷに第２伝送データを送信する。ＵＰ−ＧＷは、第２伝送データをＤＮに送信することができる。
【０１２３】
ステップ９１０において、ＵＰ−ＧＷは、ＤＮからＵＥに送信される第３伝送データを受信すると、ＳＭ機能エンティティ、ＭＭ機能エンティティおよびＲＡＮを介して第３伝送データをＵＥに転送する。
【０１２４】
（実例７）
上記の実例５と実例６は、ＳＭ機能エンティティがデータのソースＩＰアドレスを更新するシーンにおける初回のデータ伝送プロセスまたはタイマーがタイムアウトになったときのデータ伝送プロセスに関するが、実際のデータ伝送プロセスにおいて、実例７のように、データ再送プロセスまたはタイマーがタイムアウトになっていないときのデータ伝送プロセスも存在する。
【０１２５】
図１０に示すように、当該実例７のデータ伝送プロセスは、以下のステップ１００１〜１００６を含む。
【０１２６】
ステップ１００１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１２７】
ステップ１００２において、ＲＡＮは、第１伝送データをＭＭ機能エンティティに転送する。
【０１２８】
ステップ１００３において、ＭＭ機能エンティティは、第１伝送データを受信すると、タイマー（ＯＮ状態のＵＥのタイマー）がタイムアウトになっていないと判断すると、選択したＳＭ機能エンティティに第１伝送データを送信する。
【０１２９】
ステップ１００４において、ＳＭ機能エンティティは、データパケットのカプセル化を行う。すなわち、記憶済みのＵＥに割り当てられたＩＰアドレスを第１データのＳｏｕｒｃｅ＿ＩＰとして、デフォルトＩＰアドレスまたはランダムＩＰアドレスを置換して第２伝送データを得る。
【０１３０】
ステップ１００５において、ＳＭ機能エンティティは、選択したＵＰ−ＧＷに対し第２伝送データを送信する。ＵＰ−ＧＷは、第２伝送データをＤＮに送信することができる。
【０１３１】
ステップ１００６において、ＵＰ−ＧＷは、ＤＮからＵＥに送信される第３伝送データを受信すると、ＳＭ機能エンティティ、ＭＭ機能エンティティおよびＲＡＮを介して第３伝送データをＵＥに転送する。
【０１３２】
（実例８）
実例８は、ＳＭ機能エンティティによるデータのソースＩＰアドレスの更新およびＳＤＮ技術に基づくコアネットワーク（Ｏｐｅｎ  Ｆｌｏｗプロトコルを採用する）のシーンにおける初回データ伝送プロセスまたはタイマーがタイムアウトになったときのデータ伝送プロセスに関する。
【０１３３】
図１１に示すように、当該実例８のデータ伝送プロセスは、以下のステップ１１０１〜１１０８を含む。
【０１３４】
ステップ１１０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１３５】
ステップ１１０２において、ＲＡＮは、第１伝送データをＭＭ機能エンティティに転送する。
【０１３６】
ステップ１１０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【０１３７】
ステップ１１０４において、ＭＭ機能エンティティは、選択したＳＭ機能エンティティに第５セッション作成要求メッセージを送信し、ＵＥに対しセッションを作成するようＳＭ機能エンティティに要求する。当該第５セッション作成要求メッセージに付帯された情報は、ＵＥがＩｏＴユーザである旨、ＳＭ関連情報および第１伝送データを含む。
【０１３８】
ステップ１１０５において、ＳＭ機能エンティティは、ＳＭ関連情報に基づいて、ＵＥコンテキストの作成、ＵＰ−ＧＷの選択およびＵＥに対するＩＰアドレスの割り当てを行うとともに、データパケットのカプセル化を行い、すなわち、当該ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【０１３９】
ステップ１１０６において、ＳＭ機能エンティティは、第５セッション作成応答メッセージをＭＭ機能エンティティに送信するとともに、第２伝送データが付帯された第３Ｐａｃｋｅｔ−ｏｕｔメッセージを、選択したＵＰ−ＧＷに送信する。ＵＰ−ＧＷは、第２伝送データをＤＮに送信することができる。
【０１４０】
ステップ１１０７において、ＵＰ−ＧＷは、ＤＮからＵＥに送信される第３伝送データを受信すると、第３伝送データが付帯された第３Ｐａｃｋｅｔ−ｉｎメッセージをＳＭ機能エンティティに送信する。
【０１４１】
ステップ１１０８において、ＳＭ機能エンティティは、ＭＭ機能エンティティおよびＲＡＮを介して第３伝送データをＵＥに転送する。
【０１４２】
（実例９）
実例９は、ＳＭ機能エンティティによるデータのソースＩＰアドレスの更新およびＳＤＮ技術に基づくコアネットワーク（Ｏｐｅｎ  Ｆｌｏｗプロトコルを採用する）のシーンにおける別の初回データ伝送プロセスまたはタイマーがタイムアウトになったときのデータ伝送プロセスに関する。
【０１４３】
図１２に示すように、当該実例９のデータ伝送プロセスは、以下のステップ１２０１〜１２１１を含む。
【０１４４】
ステップ１２０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１４５】
ステップ１２０２において、ＲＡＮは、第１伝送データをＭＭ機能エンティティに転送する。
【０１４６】
ステップ１２０３において、ＭＭ機能エンティティは、第１伝送データを受信すると、デフォルトＩＰアドレスまたはランダムＩＰアドレス、または、タイマー（ＯＮ状態のＵＥのタイマー）がタイムアウトになったとの判断に基づいて、ＵＥに対しＳＭ機能エンティティを選択すると特定し、ＵＥの情報に基づいて、ＳＭ機能エンティティを選択する。
【０１４７】
ステップ１２０４において、ＭＭ機能エンティティは、選択したＳＭ機能エンティティに第６セッション作成要求メッセージを送信し、ＵＥに対しセッションを作成するようＳＭ機能エンティティに要求する。当該第６セッション作成要求メッセージに付帯された情報は、ＵＥがＩｏＴユーザである旨およびＳＭ関連情報を含む。
【０１４８】
ステップ１２０５において、ＳＭ機能エンティティは、ＳＭ関連情報に基づいて、ＵＥコンテキストの作成、ＵＰ−ＧＷの選択およびＵＥに対するＩＰアドレスの割り当てを行う。
【０１４９】
ステップ１２０６において、ＳＭ機能エンティティは、第６セッション作成応答メッセージをＭＭ機能エンティティに送信する。
【０１５０】
ステップ１２０７において、ＭＭ機能エンティティは、第６セッション作成応答メッセージを受信すると、第１伝送データをＳＭ機能エンティティに送信する。
【０１５１】
ステップ１２０８において、ＳＭ機能エンティティは、第１伝送データを受信すると、データパケットのカプセル化を行う。すなわち、ＵＥに割り当てられたＩＰアドレスを第１伝送データのＳｏｕｒｃｅ＿ＩＰとして、デフォルトＩＰアドレスまたはランダムＩＰアドレスを置換して第２伝送データを得る。
【０１５２】
ステップ１２０９において、ＳＭ機能エンティティは、第２伝送データが付帯された第４Ｐａｃｋｅｔ−ｏｕｔメッセージを、選択したＵＰ−ＧＷに送信する。ＵＰ−ＧＷは、第２伝送データをＤＮに送信することができる。
【０１５３】
ステップ１２１０において、ＵＰ−ＧＷは、ＤＮからＵＥに送信される第３伝送データを受信すると、第３伝送データが付帯された第４Ｐａｃｋｅｔ−ｉｎメッセージをＳＭ機能エンティティに送信する。
【０１５４】
ステップ１２１１において、ＳＭ機能エンティティは、ＭＭ機能エンティティおよびＲＡＮを介して第３伝送データをＵＥに転送する。
【０１５５】
（実例１０）
上記の実例８と実例９は、ＳＭ機能エンティティによるデータのソースＩＰアドレスの更新およびＳＤＮ技術に基づくコアネットワーク（Ｏｐｅｎ  Ｆｌｏｗプロトコルを採用する）のシーンにおける初回のデータ伝送プロセスまたはタイマーがタイムアウトになったときのデータ伝送プロセスに関するが、実際のデータ伝送において、実例１０のように、データ再送プロセスまたはタイマーがタイムアウトになっていないときのデータ伝送プロセスも存在する。
【０１５６】
図１３に示すように、当該実例１０のデータ伝送プロセスは、以下のステップ１３０１〜１３０７を含む。
【０１５７】
ステップ１３０１において、ＵＥは、送信すべくデータを第１伝送データにカプセルさせてＲＡＮに送信する。当該第１伝送データのＳｏｕｒｃｅ＿ＩＰは、デフォルトＩＰアドレスまたはランダムＩＰアドレスである。
【０１５８】
ステップ１３０２において、ＲＡＮは、第１伝送データをＭＭ機能エンティティに転送する。
【０１５９】
ステップ１３０３において、ＭＭ機能エンティティは、第１伝送データを受信すると、タイマー（ＯＮ状態のＵＥのタイマー）がタイムアウトになっていないと判断したのであれば、選択したＳＭ機能エンティティに第１伝送データを送信する。
【０１６０】
ステップ１３０４において、ＳＭ機能エンティティは、データパケットのカプセル化を行う。すなわち、記憶済みのＵＥに割り当てられたＩＰアドレスを第１データのＳｏｕｒｃｅ＿ＩＰとして、デフォルトＩＰアドレスまたはランダムＩＰアドレスを置換して第２伝送データを得る。
【０１６１】
ステップ１３０５において、ＳＭ機能エンティティは、選択したＵＰ−ＧＷに対し、第２伝送データが付帯された第５Ｐａｃｋｅｔ−ｏｕｔメッセージを送信する。ＵＰ−ＧＷは、第２伝送データをＤＮに送信することができる。
【０１６２】
ステップ１３０６において、ＵＰ−ＧＷは、ＤＮからＵＥに送信される第３伝送データを受信すると、第３伝送データが付帯された第５Ｐａｃｋｅｔ−ｉｎメッセージをＳＭ機能エンティティに送信する。
【０１６３】
ステップ１３０７において、ＳＭ機能エンティティは、ＭＭ機能エンティティおよびＲＡＮを介して第３伝送データをＵＥに転送する。
【０１６４】
上記の実施例は、本開示のＩＰアドレス設定方法を説明したが、以下、実施例および図面と通じて本開示のＩＰアドレス設定装置を説明する。
【０１６５】
図１４に示すように、本開示の実施例は、さらに、ネットワーク側機能エンティティに応用されるＩＰアドレス設定装置を提供する。当該装置は、ソースＩＰアドレスがデフォルトＩＰアドレスまたはランダムＩＰアドレスである第１データをＵＥから取得する取得モジュール１４１と、ＳＭ機能エンティティから前記ＵＥに割り当てられたＩＰアドレスを前記第１データのソースＩＰアドレスとして、前記デフォルトＩＰアドレスまたはランダムＩＰアドレスを置換する置換モジュール１４２とを含む。
【０１６６】
本開示の実施例のＩＰアドレス設定装置は、デフォルトＩＰアドレスまたはランダムＩＰアドレスであるＵＥからの送信データのソースＩＰアドレスを、ネットワーク側機能エンティティによって特定して置換することによって、ＳＭ機能エンティティからＵＥに割り当てられたＩＰアドレスがＵＥによってリアルタイムに取得されることや、ＳＭ機能エンティティからＵＥに割り当てられたＩＰアドレスが送信データのソースＩＰアドレスに付帯されることが避けられるため、ＵＥのアンカーの変化に適応でき、ＩＰアドレスの設定を柔軟に行うことができ、かつＩＰアドレスをＵＥに割り当てる従来の方法に比べ、新規のＩＰアドレスの更新時のシグナリングオーバーヘッドを軽減することができ、ＵＥによるＩＰアドレスの設定および保守を必要とせず、ＵＥの処理負担を低減させ、特に、ネットワーク側から１組のＵＥに対しサービスを提供する場合、ＵＥのＩＰアドレス設定を完成させるには、各ＵＥとの間でシグナリングのやり取りを行う必要がなく、ＵＥによる設定のシグナリングオーバーヘッドを軽減する。
【０１６７】
本開示の実施例において、ネットワーク側機能エンティティがＭＭ機能エンティティである場合、図１５に示すように、前記置換モジュール１４２は、前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信する第１送信ユニット１４２１と、前記ＳＭ機能エンティティから前記ＵＥに割り当てられたＩＰアドレスが付帯された第１応答メッセージを、前記ＳＭ機能エンティティから受信する第１受信ユニット１４２２と、受信した前記ＵＥに割り当てられたＩＰアドレスを前記第１データのソースＩＰアドレスとして、前記デフォルトＩＰアドレスまたはランダムＩＰアドレスを置換する第１置換ユニット１４２３とを含む。
【０１６８】
一部の選択可能な実施例において、図１５に示すように、前記置換モジュール１４２は、前記ＵＥに対応するＯＮ状態のタイマーがタイムアウトになったかを判断する判断ユニット１４２４と、前記タイマーがタイムアウトになったと判断すると、前記ＳＭ機能エンティティから前記ＵＥへＩＰアドレスの割り当てを要求する第２要求メッセージを前記ＳＭ機能エンティティに送信する第２送信ユニット１４２５と、前記ＳＭ機能エンティティから前記ＵＥに割り当てられたＩＰアドレスが付帯された第２応答メッセージを、前記ＳＭ機能エンティティから受信する第２受信ユニット１４２６と、受信した前記ＵＥに割り当てられたＩＰアドレスを前記第１データのソースＩＰアドレスとして、前記デフォルトＩＰアドレスまたはランダムＩＰアドレスを置換する第２置換ユニット１４２７とを含む。
【０１６９】
一部の選択可能な実施例において、図１５に示すように、前記置換モジュール１４２は、さらに、前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換する第３置換ユニット１４２８を含む。
【０１７０】
一部の選択可能な実施例において、前記第２送信ユニット１４２５は、前記タイマーがタイムアウトになったと判断すると、前記ＵＥの情報に基づいて、前記ＵＥに対し前記ＳＭ機能エンティティを選択する選択サブユニットと、前記ＳＭ機能エンティティから前記ＵＥへＩＰアドレスの割り当てを要求する前記第２要求メッセージを前記ＳＭ機能エンティティに送信する送信サブユニットとを含む。
【０１７１】
ここで、前記ＵＥの情報は、ＵＥ契約情報、ＵＥ位置情報、ＵＥタイプ情報のうちの１つまたは複数を含む。
【０１７２】
本開示の実施例において、図１５に示すように、前記ＩＰアドレス設定装置は、前記ＳＭ機能エンティティから前記ＵＥに割り当てられたＩＰアドレスで前記第１データのソースＩＰアドレスを置換して得られた第２データを、前記ＳＭ機能エンティティに送信する第１送信モジュール１４３をさらに含む。
【０１７３】
本開示の実施例において、ネットワーク側機能エンティティがＳＭ機能エンティティである場合、前記取得モジュール１４１は、具体的に、前記ＵＥから前記ＭＭ機能エンティティに送信された第１データが付帯された第３要求メッセージを、ＭＭ機能エンティティから受信する。
【０１７４】
図１６に示すように、前記ＩＰアドレス設定装置は、前記第３要求メッセージに基づいて、前記ＵＥにＩＰアドレスを割り当てる第１割当モジュール１４４をさらに含む。
【０１７５】
本開示の実施例において、ネットワーク側機能エンティティがＳＭ機能エンティティである場合、図１７に示すように、前記ＩＰアドレス設定装置は、前記ＵＥに対するＩＰアドレスの割り当てを前記ＳＭ機能エンティティに要求するための第４要求メッセージを、ＭＭ機能エンティティから受信する受信モジュール１４５と、前記第４要求メッセージに基づいて、前記ＵＥにＩＰアドレスを割り当てる第２割当モジュール１４６と、第４応答メッセージを前記ＭＭ機能エンティティに送信する第２送信モジュール１４７とをさらに含む。
【０１７６】
前記取得モジュール１４１は、具体的に、前記ＵＥから送信されて前記ＭＭ機能エンティティから転送された第１データを受信する。
【０１７７】
本開示の実施例において、ネットワーク側機能エンティティがＳＭ機能エンティティである場合、前記取得モジュール１４１は、具体的に、前記ＵＥから送信されて前記ＭＭ機能エンティティから転送された第１データを受信する。
【０１７８】
前記置換モジュール１４２は、具体的に、記憶済みの前記ＵＥに割り当てられたＩＰアドレスを前記第１データのソースＩＰアドレスとして、前記デフォルトＩＰアドレスまたはランダムＩＰアドレスを置換する。
【０１７９】
本開示の実施例において、前記ＳＭ機能エンティティは、前記ＵＥにＩＰアドレスを割り当てる際に、ユーザプレーンゲートウェイの選択およびＵＥコンテキストの作成を行ってもよい。図１７に示すように、前記ＩＰアドレス設定装置は、前記ＳＭ機能エンティティから前記ＵＥに割り当てられたＩＰアドレスで前記第１データのソースＩＰアドレスを置換して得られた第２データを、前記ユーザプレーンゲートウェイに送信する第３送信モジュール１４８をさらに含む。
【０１８０】
図１８に示すように、本開示の実施例は、バス１８１と、トランシーバ１８２と、アンテナ１８３と、バスインタフェース１８４と、プロセッサ１８５と、メモリ１８６とを含むネットワーク側機能エンティティをさらに提供する。
【０１８１】
ここで、プロセッサ１８５は、メモリ１８６からプログラムを読み取ることによって、ソースＩＰアドレスがデフォルトＩＰアドレスまたはランダムＩＰアドレスである第１データをＵＥから取得するようトランシーバ１８２を制御し、ＳＭ機能エンティティから前記ＵＥに割り当てられたＩＰアドレスを前記第１データのソースＩＰアドレスとして前記デフォルトＩＰアドレスまたはランダムＩＰアドレスを置換するプロセスを実行する。
【０１８２】
トランシーバ１８２は、プロセッサ１８５による制御でデータを送受信する。
【０１８３】
具体的に、前記ネットワーク側機能エンティティがＭＭ機能エンティティであり、プロセッサ１８５は、さらに、前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信することと、前記ＳＭ機能エンティティから前記ＵＥに割り当てられたＩＰアドレスが付帯された第１応答メッセージを、前記ＳＭ機能エンティティから受信することと、受信した前記ＵＥに割り当てられたＩＰアドレスを前記第１データのソースＩＰアドレスとして、前記デフォルトＩＰアドレスまたはランダムＩＰアドレスを置換することとに用いられる。
【０１８４】
具体的に、前記ネットワーク側機能エンティティがＭＭ機能エンティティであり、プロセッサ１８５は、さらに、前記ＵＥに対応するＯＮ状態のタイマーがタイムアウトになったかを判断することと、前記タイマーがタイムアウトになったと判断すると、前記ＳＭ機能エンティティから前記ＵＥへＩＰアドレスの割り当てを要求する第２要求メッセージを前記ＳＭ機能エンティティに送信することと、前記ＳＭ機能エンティティから前記ＵＥに割り当てられたＩＰアドレスが付帯された第２応答メッセージを、前記ＳＭ機能エンティティから受信することと、受信した前記ＵＥに割り当てられたＩＰアドレスを前記第１データのソースＩＰアドレスとして、前記デフォルトＩＰアドレスまたはランダムＩＰアドレスを置換することとに用いられる。
【０１８５】
具体的に、プロセッサ１８５は、さらに、前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換することに用いられる。
【０１８６】
具体的に、プロセッサ１８５は、さらに、前記タイマーがタイムアウトになったと判断すると、前記ＵＥの情報に基づいて、前記ＵＥに対し前記ＳＭ機能エンティティを選択することと、前記ＳＭ機能エンティティから前記ＵＥへＩＰアドレスの割り当てを要求する前記第２要求メッセージを前記ＳＭ機能エンティティに送信することとに用いられる。
【０１８７】
具体的に、前記ＵＥの情報は、ＵＥ契約情報、ＵＥ位置情報、ＵＥタイプ情報のうちの１つまたは複数を含む。
【０１８８】
具体的に、プロセッサ１８５は、さらに、前記ＳＭ機能エンティティから前記ＵＥに割り当てられたＩＰアドレスで前記第１データのソースＩＰアドレスを置換して得られた第２データを、前記ＳＭ機能エンティティに送信することに用いられる。
【０１８９】
具体的に、前記ネットワーク側機能エンティティがＳＭ機能エンティティであり、プロセッサ１８５は、さらに、前記ＵＥから前記ＭＭ機能エンティティに送信された第１データが付帯された第３要求メッセージを、ＭＭ機能エンティティから受信することと、前記第３要求メッセージに基づいて、前記ＵＥにＩＰアドレスを割り当てることとに用いられる。
【０１９０】
具体的に、前記ネットワーク側機能エンティティがＳＭ機能エンティティであり、プロセッサ１８５は、さらに、前記ＵＥに対するＩＰアドレスの割り当てを前記ＳＭ機能エンティティに要求するための第４要求メッセージを、ＭＭ機能エンティティから受信することと、前記第４要求メッセージに基づいて、前記ＵＥにＩＰアドレスを割り当てることと、第４応答メッセージを前記ＭＭ機能エンティティに送信することと、前記ＵＥから送信されて前記ＭＭ機能エンティティから転送された第１データを受信することとに用いられる。
【０１９１】
具体的に、前記ネットワーク側機能エンティティがＳＭ機能エンティティであり、プロセッサ１８５は、さらに、前記ＵＥから送信されて前記ＭＭ機能エンティティから転送された第１データを受信することと、記憶済みの前記ＵＥに割り当てられたＩＰアドレスを前記第１データのソースＩＰアドレスとして、前記デフォルトＩＰアドレスまたはランダムＩＰアドレスを置換することとに用いられる。
【０１９２】
具体的に、前記ＳＭ機能エンティティは、前記ＵＥにＩＰアドレスを割り当てる際に、さらに、ユーザプレーンゲートウェイを選択する。プロセッサ１８５は、さらに、前記ＳＭ機能エンティティから前記ＵＥに割り当てられたＩＰアドレスで前記第１データのソースＩＰアドレスを置換して得られた第２データを、前記ユーザプレーンゲートウェイに送信することに用いられる。
【０１９３】
図１８において、バスアーキテクチャ（バス１８１で示す）は、任意数の相互接続するバスとブリッジを含む。バス１８１は、プロセッサ１８５をはじめとする１つ又は複数のプロセッサとメモリ１８６をはじめとするメモリの各種類の回路が接続したものである。バス１８１は、周辺イクイップメント、レギュレーター、電力管理回路などの各種類のほかの回路を接続したものであってもよい。これらは、いずれも本分野の公知事項であり、本文においてさらなる記載をしない。バスインタフェース１８４により、バス１８１とトランシーバ１８２との間でインタフェースが提供される。トランシーバ１８２は、１つの部品であってもよく、複数の受信機および送信機など、複数の部品であってもよく、伝送媒体でほかの各種類の装置と通信するユニットとして提供される。プロセッサ１８５によって処理されたデータは、アンテナ１８３を介して無線媒体で伝送される。さらに、アンテナ１８３は、データを受信し、データをプロセッサ１８５に伝送する。
【０１９４】
プロセッサ１８５は、バス１８１と通常の処理を管理し、さらに計時、周囲インタフェース、電圧調節、電源管理およびほかの制御機能など、様々な機能も提供する。メモリ１８６は、プロセッサ１８５による操作実行に用いられるデータを記憶ことに用いられる。
【０１９５】
一部の選択可能な実施例において、プロセッサ１８５は、ＣＰＵ、ＡＳＩＣ、ＦＰＧＡまたはＣＰＬＤである。
【０１９６】
本開示の実施例は、ネットワーク側機能エンティティに応用されるコンピュータプログラム（指令）が記憶されているコンピュータ読み取り可能な記憶媒体をさらに提供する。当該プログラム（指令）がプロセッサによって実行されると、ソースＩＰアドレスがデフォルトＩＰアドレスまたはランダムＩＰアドレスである第１データを、ＵＥから取得するステップと、ＳＭ機能エンティティから前記ＵＥに割り当てられたＩＰアドレスを前記第１データのソースＩＰアドレスとして、前記デフォルトＩＰアドレスまたはランダムＩＰアドレスを置換するステップとが実現される。
【０１９７】
一部の選択可能な実施例において、前記ネットワーク側機能エンティティがＭＭ機能エンティティであり、当該プログラム（指令）がプロセッサによって実行されると、前記デフォルトＩＰアドレスまたはランダムＩＰアドレスに基づいて、前記ＳＭ機能エンティティから前記ＵＥへＩＰアドレスの割り当てを要求する第１要求メッセージを前記ＳＭ機能エンティティに送信するステップと、前記ＳＭ機能エンティティから前記ＵＥに割り当てられたＩＰアドレスが付帯された第１応答メッセージを、前記ＳＭ機能エンティティから受信するステップと、受信した前記ＵＥに割り当てられたＩＰアドレスを前記第１データのソースＩＰアドレスとして、前記デフォルトＩＰアドレスまたはランダムＩＰアドレスを置換するステップとが実現される。
【０１９８】
一部の選択可能な実施例において、前記ネットワーク側機能エンティティがＭＭ機能エンティティであり、当該プログラム（指令）がプロセッサによって実行されると、前記ＵＥに対応するＯＮ状態のタイマーがタイムアウトになったかを判断するステップと、前記タイマーがタイムアウトになったと判断すると、前記ＳＭ機能エンティティから前記ＵＥへＩＰアドレスの割り当てを要求する第２要求メッセージを前記ＳＭ機能エンティティに送信するステップと、前記ＳＭ機能エンティティから前記ＵＥに割り当てられたＩＰアドレスが付帯された第２応答メッセージを、前記ＳＭ機能エンティティから受信するステップと、受信した前記ＵＥに割り当てられたＩＰアドレスを前記第１データのソースＩＰアドレスとして、前記デフォルトＩＰアドレスまたはランダムＩＰアドレスを置換するステップとが実現される。
【０１９９】
一部の選択可能な実施例において、当該プログラム（指令）がプロセッサによって実行されると、さらに、前記タイマーがタイムアウトになっていないと判断すると、記憶済みの前記ＵＥに割り当てられたＩＰアドレスを前記第１データのソースＩＰアドレスとして、前記デフォルトＩＰアドレスまたはランダムＩＰアドレスを置換するステップが実現される。
【０２００】
一部の選択可能な実施例において、当該プログラム（指令）がプロセッサによって実行されると、前記タイマーがタイムアウトになったと判断すると、前記ＵＥの情報に基づいて、前記ＵＥに対し前記ＳＭ機能エンティティを選択するステップと、前記ＳＭ機能エンティティから前記ＵＥへＩＰアドレスの割り当てを要求する前記第２要求メッセージを前記ＳＭ機能エンティティに送信するステップとが実現される。
【０２０１】
一部の選択可能な実施例において、前記ＵＥの情報は、ＵＥ契約情報、ＵＥ位置情報、ＵＥタイプ情報のうちの１つまたは複数を含む。
【０２０２】
一部の選択可能な実施例の前記方法において、当該プログラム（指令）がプロセッサによって実行されると、前記ＳＭ機能エンティティから前記ＵＥに割り当てられたＩＰアドレスで前記第１データのソースＩＰアドレスを置換して得られた第２データを、前記ＳＭ機能エンティティに送信するステップが実現される。
【０２０３】
一部の選択可能な実施例において、前記ネットワーク側機能エンティティがＳＭ機能エンティティであり、当該プログラム（指令）がプロセッサによって実行されると、前記ＵＥから前記ＭＭ機能エンティティに送信された第１データが付帯された第３要求メッセージを、ＭＭ機能エンティティから受信するステップと、前記第３要求メッセージに基づいて、前記ＵＥにＩＰアドレスを割り当てるステップとが実現される。
【０２０４】
一部の選択可能な実施例において、前記ネットワーク側機能エンティティがＳＭ機能エンティティであり、当該プログラム（指令）がプロセッサによって実行されると、さらに、前記ＵＥに対するＩＰアドレスの割り当てを前記ＳＭ機能エンティティに要求するための第４要求メッセージを、ＭＭ機能エンティティから受信するステップと、前記第４要求メッセージに基づいて、前記ＵＥにＩＰアドレスを割り当てるステップと、第４応答メッセージを前記ＭＭ機能エンティティに送信するステップと、前記ＵＥから送信されて前記ＭＭ機能エンティティから転送された第１データを受信するステップとが実現される。
【０２０５】
一部の選択可能な実施例において、前記ネットワーク側機能エンティティがＳＭ機能エンティティであり、当該プログラム（指令）がプロセッサによって実行されると、前記ＵＥから送信されて前記ＭＭ機能エンティティから転送された第１データを受信するステップと、記憶済みの前記ＵＥに割り当てられたＩＰアドレスを前記第１データのソースＩＰアドレスとして、前記デフォルトＩＰアドレスまたはランダムＩＰアドレスを置換するステップとが実現される。
【０２０６】
一部の選択可能な実施例において、前記ＳＭ機能エンティティは、前記ＵＥにＩＰアドレスを割り当てる際に、ユーザプレーンゲートウェイを選択する。当該プログラム（指令）がプロセッサによって実行されると、さらに、前記ＳＭ機能エンティティから前記ＵＥに割り当てられたＩＰアドレスで前記第１データのソースＩＰアドレスを置換して得られた第２データを、前記ユーザプレーンゲートウェイに送信するステップが実現される。
【０２０７】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリまたはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０２０８】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０２０９】
上述した本開示の実施例の番号は、単に記載用のものであり、実施例の優劣を代表しない。
【０２１０】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０２１１】
以上の記載は、本開示の好適な実施形態に過ぎない。なお、当業者にとって、本開示に記載した原理を逸脱することなくいくつかの改良や修飾を行うこともできる。これらの改良や修飾も、本開示の保護範囲として見なされるべきである。
【図１】
0006858887.tif 000002
【図２】
0006858887.tif 000003
【図３】
0006858887.tif 000004
【図４】
0006858887.tif 000005
【図５】
0006858887.tif 000006
【図６】
0006858887.tif 000007
【図７】
0006858887.tif 000008
【図８】
0006858887.tif 000009
【図９】
0006858887.tif 000010
【図１０】
0006858887.tif 000011
【図１１】
0006858887.tif 000012
【図１２】
0006858887.tif 000013
【図１３】
0006858887.tif 000014
【図１４】
0006858887.tif 000015
【図１５】
0006858887.tif 000016
【図１６】
0006858887.tif 000017
【図１７】
0006858887.tif 000018
【図１８】
0006858887.tif 000019